(57)【要約】【課題】  複数のＣＧＲＯＭに対応したＲＯＭバンクの選択を、容易に切換可能とする。【解決手段】  切替入力端子と接地端子とを接続する配線パターンを有するＦＰＣ４２ａを、液晶表示素子の基板のＦＰＣ接続端子部４３に取り付けることにより、切替入力端子が接地電位ＧＮＤに接続される。これにより、ＬＳＩ回路１００では、第１のＣＧＲＯＭが読出可能に制御され、読み出された画像データに基づいてパネル駆動信号が生成される。一方、切替入力端子と電源入力端子とを接続する配線パターンを有するＦＰＣを前述のＦＰＣ接続端子部４３に取り付けることにより、切替入力端子が電源電位ＶＤＤに接続される。これにより、ＬＳＩ回路１００では、第２のＣＧＲＯＭが読出可能に制御され、読み出された画像データに基づいてパネル駆動信号が生成される。【選択図】  図３
2005283711.tif 000002
【特許請求の範囲】
【請求項１】
所定の画像データを予め記憶した第１及び第２の画像データ記憶手段と、
前記第１及び第２の画像データ記憶手段のいずれかから読み出された画像データに基づいてパネル駆動信号を生成し、液晶表示パネルに供給する駆動信号供給手段と、
接地電位に接続される接地端子と、
所定の電源電位に接続される電源電圧端子と、
メモリ選択用電圧の供給を受ける選択用電圧端子と、
フレキシブル基板を接続可能に形成された基板接続手段とを備え、
前記駆動信号供給手段は、
前記接地端子と前記選択用電圧端子とを接続する配線を有したフレキシブル基板が前記基板接続手段に接続された場合に、前記第１の画像データ記憶手段に記憶されている画像データを読み出してパネル駆動信号を生成し、
前記電源電圧端子と前記選択用電圧端子とを接続する配線を有したフレキシブル基板が前記基板接続手段に接続された場合に、前記第２の画像データ記憶手段に記憶されている画像データを読み出してパネル駆動信号を生成する、
ことを特徴とする液晶表示制御装置。
【請求項２】
前記選択用電圧端子は、前記電源電圧端子と前記接地端子との間に形成されている、
ことを特徴とする請求項１に記載の液晶表示制御装置。
【請求項３】
前記選択用電圧端子は、前記電源電圧端子及び前記接地端子と互いに隣り合って形成されている、
ことを特徴とする請求項１又は２に記載の液晶表示制御装置。
【請求項４】
液晶表示パネルにパネル駆動信号を供給して当該液晶表示パネルにおける表示動作を制御する液晶表示制御装置であって、
所定の電源電位に接続される電源電圧端子と、
接地電位に接続される接地端子と、
前記液晶表示制御装置の動作中に前記電源電位あるいは前記接地電位に固定されるモード端子と、
前記電源電圧端子と前記モード端子とを接続する配線を有したフレキシブル基板、及び前記接地端子と前記モード端子とを接続する配線を有したフレキシブル基板のいずれかを接続可能とする基板接続手段とを備える、
ことを特徴とする液晶表示制御装置。
【請求項５】
所定の画像データを予め記憶した第１及び第２の画像データ記憶手段と、
前記第１及び第２の画像データ記憶手段のいずれかから読み出された画像データに基づいてパネル駆動信号を生成し、液晶表示パネルに供給する駆動信号供給手段と、
接地電位に接続される接地端子と、
所定の電源電位に接続される電源電圧端子と、
メモリ選択用電圧の供給を受ける選択用電圧端子とを備えた液晶表示制御装置の動作制御方法であって、
前記接地端子と前記選択用電圧端子とを接続する配線を有したフレキシブル基板が所定の基板接続手段に接続された場合に、前記第１の画像データ記憶手段に記憶されている画像データを読出可能に制御してパネル駆動信号を生成し、
前記電源電圧端子と前記選択用電圧端子とを接続する配線を有したフレキシブル基板が前記基板接続手段に接続された場合に、前記第２の画像データ記憶手段に記憶されている画像データを読出可能に制御してパネル駆動信号を生成する、
ことを特徴とする液晶表示制御装置の動作制御方法。
【発明の詳細な説明】
【技術分野】
【０００１】
本発明は、複数のキャラクタジェネレータＲＯＭ（Read Only Memory）のいずれかを選択して液晶の表示動作を制御する技術に関する。
【背景技術】
【０００２】
ＬＣＤ（Liquid Crystal Display）パネルなどを用いた液晶表示装置は、表示制御用の半導体集積回路（ＬＳＩ；Large Scale Integration）等に内蔵されたキャラクタジェネレータＲＯＭ（以下、「ＣＧＲＯＭ」という）から読み出された文字フォントパターンなどを示す画像データに基づいて、各種の情報を表示することができる。ここで、汎用性の高いＬＳＩ回路として、複数のＣＧＲＯＭを内蔵させ、ＲＯＭバンクの選択により、いずれかのＣＧＲＯＭから読み出された画像データに基づいて、表示装置における表示動作を制御することが考えられる。
【０００３】
また、絶縁基板上に形成された配線パターンにより、ＬＳＩ回路の内部状態（動作モードあるいはデバイスＩＤ情報）を変更するモード端子に電源電位や基準電位を接続可能とするものとして、ＬＳＩ回路のパッド部に蒸着されている金バンプによりＩＴＯ（Indium Thin Oxide）膜等の透明導電膜と接続して、ガラス基板上に液晶表示制御用のＬＳＩ回路をフェースダウンするものが提案されている（例えば、特許文献１）。
【特許文献１】国際公開第９８／１２５９７号パンフレット
【０００４】
そして、ガラス基板上に液晶表示制御用のＬＳＩ回路をフェースダウンする液晶表示装置の場合、ＬＳＩ回路に内蔵された複数のＣＧＲＯＭに対応したＲＯＭバンクの選択は、使用するＣＧＲＯＭを選択するための電位を所定のバンプに供給するために、対応したＩＴＯ（Indium Thin Oxide）膜等の配線パターンを、液晶表示素子の基板に予め形成しておき、これらのＩＴＯ膜の配線パターンにより選択電位をＬＳＩ回路の所定のバンプに供給することにより行われる。
【発明の開示】
【発明が解決しようとする課題】
【０００５】
しかしながら、液晶表示素子の絶縁基板上に形成されたＩＴＯ膜などの配線パターンによりＬＳＩ回路に内蔵された複数のＣＧＲＯＭに対応したＲＯＭバンクを選択する場合には、１つの液晶表示素子に対して１つのＣＧＲＯＭに対応したＲＯＭバンクしか選択することができず、他のＣＧＲＯＭに対応したＲＯＭバンクを選択するには、また新たな配線パターンを形成した基板を有する液晶表示素子を形成しなければならず、ＬＳＩ回路の汎用性の機能を十分に発揮させることができなくなるという問題があった。
【０００６】
この発明は、上記実状に鑑みてなされたものであり、複数のＣＧＲＯＭに対応したＲＯＭバンクの選択を、容易に切り替えることができる液晶表示制御装置を提供することを目的とする。
【課題を解決するための手段】
【０００７】
上記目的を達成するために、この発明の第１の観点にかかる液晶表示制御装置は、
所定の画像データを予め記憶した第１及び第２の画像データ記憶手段と、
前記第１及び第２の画像データ記憶手段のいずれかから読み出された画像データに基づいてパネル駆動信号を生成し、液晶表示パネルに供給する駆動信号供給手段と、
接地電位に接続される接地端子と、
所定の電源電位に接続される電源電圧端子と、
メモリ選択用電圧の供給を受ける選択用電圧端子と、
フレキシブル基板を接続可能に形成された基板接続手段とを備え、
前記駆動信号供給手段は、
前記接地端子と前記選択用電圧端子とを接続する配線を有したフレキシブル基板が前記基板接続手段に接続された場合に、前記第１の画像データ記憶手段に記憶されている画像データを読み出してパネル駆動信号を生成し、
前記電源電圧端子と前記選択用電圧端子とを接続する配線を有したフレキシブル基板が前記基板接続手段に接続された場合に、前記第２の画像データ記憶手段に記憶されている画像データを読み出してパネル駆動信号を生成する、
ことを特徴とする。
【０００８】
上記液晶表示制御装置において、
前記選択用電圧端子は、前記電源電圧端子と前記接地端子との間に形成されていることが望ましい。
【０００９】
上記液晶表示制御装置において、
前記選択用電圧端子は、前記電源電圧端子及び前記接地端子と互いに隣り合って形成されていることが望ましい。
【００１０】
上記目的を達成するために、この発明の第２の観点にかかる液晶表示制御装置は、
液晶表示パネルにパネル駆動信号を供給して当該液晶表示パネルにおける表示動作を制御する液晶表示制御装置であって、
所定の電源電位に接続される電源電圧端子と、
接地電位に接続される接地端子と、
前記液晶表示制御装置の動作中に前記電源電位あるいは前記接地電位に固定されるモード端子と、
前記電源電圧端子と前記モード端子とを接続する配線を有したフレキシブル基板、及び前記接地端子と前記モード端子とを接続する配線を有したフレキシブル基板のいずれかを接続可能とする基板接続手段とを備える、
ことを特徴とする。
【００１１】
上記目的を達成するために、この発明の第３の観点にかかる液晶表示制御装置の動作制御方法は、
所定の画像データを予め記憶した第１及び第２の画像データ記憶手段と、
前記第１及び第２の画像データ記憶手段のいずれかから読み出された画像データに基づいてパネル駆動信号を生成し、液晶表示パネルに供給する駆動信号供給手段と、
接地電位に接続される接地端子と、
所定の電源電位に接続される電源電圧端子と、
メモリ選択用電圧の供給を受ける選択用電圧端子とを備えた液晶表示制御装置の動作制御方法であって、
前記接地端子と前記選択用電圧端子とを接続する配線を有したフレキシブル基板が所定の基板接続手段に接続された場合に、前記第１の画像データ記憶手段に記憶されている画像データを読出可能に制御してパネル駆動信号を生成し、
前記電源電圧端子と前記選択用電圧端子とを接続する配線を有したフレキシブル基板が前記基板接続手段に接続された場合に、前記第２の画像データ記憶手段に記憶されている画像データを読出可能に制御してパネル駆動信号を生成する、
ことを特徴とする。
【発明の効果】
【００１２】
本発明によれば、液晶表示パネルを駆動するＬＳＩ回路を、前記液晶表示パネルの基板に搭載し、このＬＳＩ回路に信号を供給するための接続端子部に予め定めた異なる配線パターンを形成した異なるＦＰＣを選択的に接続することにより、液晶表示制御装置の内部状態を選択し、また変更することが可能となる。
【発明を実施するための最良の形態】
【００１３】
以下に、図面を参照して、この発明の実施形態にかかる液晶表示制御装置について詳細に説明する。
【００１４】
図１は、本実施形態にかかる液晶表示制御装置に設けられたＬＳＩ回路１００の構成例を示すブロック図である。
図１に示すように、ＬＳＩ回路１００には、電源入力端子１と、ＣＧＲＯＭ切替用の切替入力端子２と、接地端子３と、周波数入力端子４と、周波数出力端子５〜７と、制御信号入力端子８〜１２と、表示画像情報入力端子１３と、表示画像情報出力端子１４とが設けられている。
【００１５】
電源入力端子１は、所定の電源電位ＶＤＤに接続される。切替入力端子２には、複数のＣＧＲＯＭのいずれかを選択するための選択用電圧ＲＯＭ１Ｓが供給される。接地端子３は、接地電位ＧＮＤに接続される。周波数入力端子４は、ＬＳＩ回路１００の外部から発振信号ＯＳＣ１の供給を受ける。周波数出力端子５〜７のそれぞれは、ＬＳＩ回路１００の外部に対して、発振信号ＯＳＣＲ３、ＯＳＣＲ５、ＯＳＣ２のそれぞれを出力する。制御信号入力端子８〜１２は、それぞれ、ＬＳＩ回路１００の外部から各種の制御信号ＲＳ１、ＲＳ０／ＣＳＢ、ＲＷ／ＳＩ、Ｅ／ＳＨＴＢ、ＳＰの供給を受ける。表示画像情報入力端子１３は、ＬＳＩ回路１００の外部から供給される４ビットの表示画像情報信号ＤＢ０（ＳＯ）〜ＤＢ３を受ける。表示画像情報出力端子１４は、ＬＳＩ回路１００の外部に対して４ビットの表示画像情報信号ＤＢ４〜ＤＢ７を出力する。
【００１６】
また、ＬＳＩ回路１００は、ＣＧＲＯＭモジュール１５と、入出力バッファ２１と、タイミング発生回路２２と、命令レジスタ（インストラクションレジスタ；ＩＲ）２３と、命令復号器（インストラクションデコーダ；ＩＤ）２４と、カーソルブリンク制御回路２５と、キャラクタジェネレータＲＡＭ（ＣＧＲＡＭ）２６と、データレジスタ２７と、アドレスカウンタ２８と、表示データＲＡＭ２９と、パラレルシリアル変換器３０と、１００ビット双方向シフトレジスタ３１と、１００ビットラッチ３２と、セグメント信号ドライバ３３と、１７ビット双方向シフトレジスタ３４と、コモン信号ドライバ３５とを備えている。
【００１７】
本実施形態において、ＣＧＲＯＭモジュール１５には、第１のＣＧＲＯＭ１５ａと、第２のＣＧＲＯＭ１５ｂとが設けられている。各ＣＧＲＯＭ１５ａ、１５ｂには、例えば、文字やアイコンといった図柄パターンを示す画像データが予め記憶され、第１のＣＧＲＯＭ１５ａと第２のＣＧＲＯＭ１５ｂとでは、文字のフォントやアイコンの種類等が異なっている。あるいは、各ＣＧＲＯＭ１５ａ、１５ｂで文字のフォントやアイコンの種類が同じであっても、各々の文字やアイコンに割り当てられたキャラクタコードや画像データのフォーマットが異なるように設定されたものであってもよい。
【００１８】
ＣＧＲＯＭモジュール１５では、切替入力端子２に供給される選択用電圧ＲＯＭ１Ｓの電圧レベルに応じて、第１のＣＧＲＯＭ１５ａと第２のＣＧＲＯＭ１５ｂのいずれか一方が読出可能に制御される。例えば、切替入力端子２が接地電位ＧＮＤに接続されて選択用電圧ＲＯＭ１Ｓが低レベル“Ｌ”（０）となっているときには、第１のＣＧＲＯＭ１５ａが読出可能に制御され、切替入力端子２が電源電位ＶＤＤに接続されて選択用電圧ＲＯＭ１Ｓが高レベル“Ｈ”（１）となっているときには、第２のＣＧＲＯＭ１５ｂが読出可能に制御される。
【００１９】
入出力バッファ２１は、ＬＳＩ回路１００に対して入出力される各種の信号をバッファリングして、信号レベルの安定化や入出力タイミングの調整などを行う。タイミング発生回路２２は、ＬＳＩ回路１００の各部位における動作タイミングを規定するためのタイミング信号を生成する。命令レジスタ２３は、入出力バッファ２１を介して制御信号入力端子８〜１２から入力された各種の制御信号に対応して、ＬＳＩ回路１００内部の制御情報等を設定する。命令復号器２４は、命令レジスタ２３によって設定された制御情報に基づいて、第１のＣＧＲＯＭ１５ａあるいは第２のＣＧＲＯＭ１５ｂのアドレス情報や、ＣＧＲＡＭ２６、表示データＲＡＭ２９のアドレス情報などを生成する。
【００２０】
カーソルブリンク制御回路２５は、液晶表示パネル上でカーソルを点滅または白黒反転させるための表示用データ（ドットデータ）を生成する。ＣＧＲＡＭ２６は、ユーザがプログラムで自由に設定したパターンの文字やアイコン等の画像に対応した画像データを記憶する。データレジスタ２７は、入出力バッファ２１を介して入力されたデータを記憶する。アドレスカウンタ２８は、命令復号器２４によって生成されたアドレス情報に基づいて、ＣＧＲＡＭ２６や表示データＲＡＭ２９などへのアクセスを可能とする。表示データＲＡＭ２９は、表示データ（文字コードやキャラクタコードなど）を記憶し、タイミング発生回路２２からのタイミング信号に応答して表示データが読み出される。表示データＲＡＭ２９から読み出された表示データに対応するキャラクタパターンの画像データがＣＧＲＯＭモジュール１５やＣＧＲＡＭ２６から読み出され、パラレルシリアル変換器３０に供給される。パラレルシリアル変換器３０は、ＣＧＲＯＭモジュール１５やＣＧＲＡＭ２６から読み出された画像データのデータ形式をパラレルからシリアルへと変換する。
【００２１】
１００ビット双方向シフトレジスタ３１は、パラレルシリアル変換器３０から供給されるシリアルデータを順次にシフトさせる。１００ビットラッチ３２は、１００ビット双方向シフトレジスタ３１に１ライン分（１００ビット）のデータが蓄積されたところでラッチする。セグメント信号ドライバ３３は、１００ビットラッチ３２によりラッチされたデータに基づいて点灯／非点灯電圧を選択し、１００ビットからなる液晶パネル駆動用のパネル駆動信号として、セグメント信号ＳＥＧ１〜ＳＥＧ１００を生成する。セグメント信号ドライバ３３によって生成されたセグメント信号ＳＥＧ１〜ＳＥＧ１００は、液晶表示パネルのセグメント電極に供給される。
【００２２】
１７ビット双方向シフトレジスタ３４は、タイミング発生回路２２からのタイミング信号に応答して選択情報を順次にシフトさせる。コモン信号ドライバ３５は、１７ビット双方向シフトレジスタ３４から出力される選択情報に応答し、１７ビットからなる液晶表示パネル駆動用のパネル駆動信号として、コモン信号ＣＯＭ１〜ＣＯＭ１７を生成する。コモン信号ドライバ３５によって生成されたコモン信号ＣＯＭ１〜ＣＯＭ１７は、液晶表示パネルのコモン電極に供給される。
【００２３】
本実施形態では、ＬＳＩ回路１００が液晶表示パネルとしてのＬＣＤ（Liquid Crystal Display）４１に、パネル駆動信号としてのセグメント信号ＳＥＧ１〜ＳＥＧ１００及びコモン信号ＣＯＭ１〜ＣＯＭ１７を供給する。また、ＬＳＩ回路１００にて入出力バッファ２１から引き出された各種の入出力端子１〜１４が、フレキシブル基板（ＦＰＣ；Flexible Printed Circuit）を接続可能に形成されている。図２は、ＬＳＩ回路１００にフレキシブル基板としてのＦＰＣ４２を接続した一例を示す図である。
【００２４】
図２に示すように、ＬＳＩ回路１００では、電源入力端子１と、切替入力端子２と、接地端子３とが、互いに隣り合う位置に配置され、切替入力端子２が、電源入力端子１と切替入力端子２との間に配置されている。
【００２５】
ＦＰＣ４２は、入出力端子１〜１４をＬＳＩ回路１００から外部回路へと接続可能とし、例えばＣＰＵ（Central Processing Unit）等に繋がる配線が形成されている。ＦＰＣ４２は、例えばＬＳＩ回路１００やＬＣＤ４１と同一のガラス基板上にフェースダウンされて固着されており、また一旦固着した後で付け替えることができ、固着して接続するＦＰＣ４２を選択することにより、このＦＰＣ４２の配線パターンに応じて、ＬＳＩ回路１００の動作モードを変更することができる。
【００２６】
例えば、図３に示すように、切替入力端子２と接地端子３とを接続する配線パターン（図３にてハッチングを付して示す）を有するＦＰＣ４２ａを取り付けた場合には、切替入力端子２が接地電位ＧＮＤに接続される。これにより、ＬＳＩ回路１００では、ＣＧＲＯＭモジュール１５にて第１のＣＧＲＯＭ１５ａが読出可能に制御され、第１のＣＧＲＯＭ１５ａから読み出された画像データに基づいてパネル駆動信号が生成されることになる。図３に示す例では、切替入力端子２と接地端子３とを接続するＦＰＣ４２ａを、ＬＳＩ回路１００やＬＣＤ４１が設けられたガラス基板上に配置されたＦＰＣ接続端子部４３に取り付けることにより、第１のＣＧＲＯＭ１５ａに対応したＲＯＭバンクを選択することができる。
【００２７】
これに対して、図４に示すように、切替入力端子２と電源入力端子１とを接続する配線パターン（図４にてハッチングを付して示す）を有するＦＰＣ４２ｂを取り付けた場合には、切替入力端子２が電源電位ＶＤＤに接続される。これにより、ＬＳＩ回路１００では、ＣＧＲＯＭモジュール１５にて第２のＣＧＲＯＭ１５ｂが読出可能に制御され、第２のＣＧＲＯＭ１５ｂから読み出された画像データに基づいてパネル駆動信号が生成されることになる。図４に示す例では、切替入力端子２と電源入力端子１とを接続するＦＰＣ４２ｂを、ＬＳＩ回路１００やＬＣＤ４１が設けられたガラス基板上に配置されたＦＰＣ接続端子部４３に取り付けることにより、第２のＣＧＲＯＭ１５ｂに対応したＲＯＭバンクを選択することができる。
【００２８】
以上説明したように、本実施形態によれば、切替入力端子２に対する電源電位ＶＤＤあるいは接地電位ＧＮＤの接続を、ＦＰＣ４２の付け替えにより容易に切り替えることができる。これにより、ＬＳＩ回路１００に内蔵された２つのＣＧＲＯＭ１５ａ、１５ｂのうちで画像データを読出可能に制御するものを容易に切り替えて、液晶表示パネルにパネル駆動信号を供給することができる。すなわち、配線パターンが異なるＦＰＣのいずれかを取り付けることにより、複数のＣＧＲＯＭのいずれかに対応したＲＯＭバンクの選択を、容易に切り替えることができる。
【００２９】
また、切替入力端子２は、電源入力端子１と接地端子３との間において、両端子と互いに隣り合って配置されている。このため、ＦＰＣ４２における配線をクロスさせることなく、切替入力端子２を電源電位ＶＤＤあるいは接地電位ＧＮＤに接続することができ、配線パターンが複雑化することを防止できる。
したがって、１種類の液晶表示パネルに、２つのＣＧＲＯＭを持ったＬＳＩ回路をフェイスダウンボンディクをして形成した１種類のパネル組立体に、そのＬＳＩ回路へ電源、制御信号等を供給するためのＦＰＣであって、切替入力端子２に供給する異なる電位を予め決定するための異なる配線パターンを形成した少なくとも２つのＦＰＣを選択して接続することにより、ＬＳＩ回路のＣＧＲＯＭの動作を選択することができ、このＦＰＣは比較的構造が単純であるから、安価に且つ容易に、表示動作が異なる２種類の液晶表示パネルを提供することができる。
【００３０】
上記実施形態では、ＣＧＲＯＭモジュール１５に第１のＣＧＲＯＭ１５ａと第２のＣＧＲＯＭ１５ｂとが設けられ、切替入力端子２の接続先が電源電位ＶＤＤであるか接地電位ＧＮＤであるかに応じて、いずれか一方のＣＧＲＯＭから画像データを読出可能に制御するものとして説明した。しかしながら、この発明はこれに限定されるものではなく、各種の動作モードやデバイスＩＤ情報といった、ＬＳＩ回路の内部状態を変更するモード端子に電源電位や接地電位を接続する場合に適用可能である。
【００３１】
また、上記実施形態では、ＬＳＩ回路１００の入出力端子にＦＰＣ４２を接続するものとして説明したが、これに限定されるものではなく、例えばフラットケーブルやフレキシブルフラットケーブルといった、任意の柔軟性の接続部材を用いたものであってもよい。さらに、切替入力端子やモード端子に接続される電位も、電源電位ＶＤＤや接地電位ＧＮＤに限定されるものではなく、互いに異なる複数の電位のいずれかであればよい。
【図面の簡単な説明】
【００３２】
【図１】本発明の実施形態にかかる液晶表示制御装置に設けられたＬＳＩ回路の構成例を示すブロック図である。
【図２】ＬＣＤ、ＬＳＩ回路、ＦＰＣを接続した一例を示す図である。
【図３】切替入力端子と接地端子とを接続するＦＰＣを取り付ける場合を説明するための図である。
【図４】切替入力端子と電源入力端子とを接続するＦＰＣを取り付ける場合を説明するための図である。
【符号の説明】
【００３３】
１〜１４…入出力端子、１５…ＣＧＲＯＭモジュール、４１…ＬＣＤ、４２…ＦＰＣ、４３…ＦＰＣ接続端子部、１００…ＬＳＩ回路
【図１】
2005283711.tif 000003
【図２】
2005283711.tif 000004
【図３】
2005283711.tif 000005
【図４】
2005283711.tif 000006